(57)【要約】【課題】  短期間でかつ経済的に構築できる鉄骨構造物の柱構造およびその構築方法を提供することである。【解決手段】  鉄骨構造物の柱構造１は、フーチング基礎２に建て込まれた０節鉄骨柱材６と鉄筋コンクリート７、８とで構成された鉄骨鉄筋コンクリート柱材３と、鉄骨鉄筋コンクリート柱材３の上側に構築された鉄筋コンクリート柱材４と、該鉄筋コンクリート柱材４に接合された１節鉄骨柱材９とからなる。【選択図】図１
2006214195.tif 000002
【特許請求の範囲】
【請求項１】
フーチング基礎に建て込まれた０節鉄骨柱材と鉄筋コンクリートとで構成された鉄骨鉄筋コンクリート柱材と、該鉄骨鉄筋コンクリート柱材の上側に構築された鉄筋コンクリート柱材と、該鉄筋コンクリート柱材に接合された１節鉄骨柱材とからなることを特徴とする鉄骨構造物の柱構造。
【請求項２】
０節鉄骨柱材と１節鉄骨柱材とがアンカーボルトで接合されたことを特徴とする請求項１に記載の鉄骨構造物の柱構造。
【請求項３】
鉄筋コンクリート柱材と１節鉄骨柱材とは柱曲げモーメント反曲点位置で接合されたことを特徴とする請求項１または２に記載の鉄骨構造物の柱構造。
【請求項４】
フーチング基礎に０節鉄骨柱材を建て込むとともに、該０節鉄骨柱材の上端部にアンカーボルトを設け、前記０節鉄骨柱材を芯材とした鉄骨鉄筋コンクリート柱材を形成するとともに、該鉄骨鉄筋コンクリート柱材の上部に鉄筋コンクリート柱材を形成し、該鉄筋コンクリート柱材の上面に１階鉄骨柱材を建て込むことを特徴とする鉄骨構造物の柱構造の構築方法。
【発明の詳細な説明】
【技術分野】
【０００１】
本願発明は鉄骨構造物の柱構造およびその構築方法に関するものである。
【背景技術】
【０００２】
従来の鉄骨構造物の柱構造１２は、図３に示すように、基礎梁１３を設けた基礎１４に０節鉄骨柱材１５を建て込み、この０節鉄骨柱材１５に１節鉄骨柱材１６を建て込んだ構成になっている。またその他の鉄骨構造物の柱構造として、例えば特開２００１−３５５２４６号の発明が知られている。
【０００３】
【特許文献１】特開２００１−３５５２４６号公報
【発明の開示】
【発明が解決しようとする課題】
【０００４】
しかし、上記の鉄骨構造物の柱構造は、基礎梁を設けた基礎に建て込まれて構成されているため、基礎梁施工のための掘削、地業、配筋、型枠形成、コンクリート打設および埋戻工事が発生して、工期と工費が嵩むという問題があった。
【０００５】
本願発明はこれらの問題に鑑みてなされたものであり、その目的は、短期間でかつ経済的に構築できる鉄骨構造物の柱構造およびその構築方法を提供することである。
【課題を解決するための手段】
【０００６】
以上の課題を解決するための鉄骨構造物の柱構造は、フーチング基礎に建て込まれた０節鉄骨柱材と鉄筋コンクリートとで構成された鉄骨鉄筋コンクリート柱材と、該鉄骨鉄筋コンクリート柱材の上側に構築された鉄筋コンクリート柱材と、該鉄筋コンクリート柱材に接合された１節鉄骨柱材とからなることを特徴とする。また０節鉄骨柱材と１節鉄骨柱材とがアンカーボルトで接合されたことを含む。また鉄筋コンクリート柱材と１節鉄骨柱材とは柱曲げモーメント反曲点位置で接合されたことを含むものである。
【０００７】
また鉄骨構造物の柱構造の構築方法は、フーチング基礎に０節鉄骨柱材を建て込むとともに、該０節鉄骨柱材の上端部にアンカーボルトを設け、前記０節鉄骨柱材を芯材とした鉄骨鉄筋コンクリート柱材を形成するとともに、該鉄骨鉄筋コンクリート柱材の上部に鉄筋コンクリート柱材を形成し、該鉄筋コンクリート柱材の上面に１階鉄骨柱材を建て込むことを特徴とする。
【発明の効果】
【０００８】
柱構造が基礎梁のないフーチング基礎に建てられているため、基礎工事の省力化と工期の短縮が可能になる。また０節鉄骨柱材が特殊な鉄骨でなく、通常の鉄骨が使用できるため基礎工事の早期着手が可能になる。低層建物では鉄骨柱の現場溶接がなくなるため、鉄骨工事の省力化と工期の短縮が可能になる。また鉄筋コンクリート柱材と１節鉄骨柱材とは柱曲げモーメント反曲点位置で接合されたことにより、合理的な鉄骨断面にすることができ、省資源化が達成できる。
【発明を実施するための最良の形態】
【０００９】
以下、本願発明の鉄骨構造物の柱構造およびその構築方法の実施の形態を図面に基づいて説明する。また各実施の形態において同じ構成は同じ符号を付して説明し、異なった構成にのみ異なった符号を付して説明する。
【００１０】
図１は鉄骨構造物の柱構造（以下柱構造という）１を示す断面図である。この柱構造１は基礎梁のないフーチング基礎２上に建てられた鉄骨鉄筋コンクリート柱材３と、鉄筋コンクリート柱材４と、鉄骨柱材５とからなる混合構造柱である。
【００１１】
この鉄骨鉄筋コンクリート柱材３はフーチング基礎２に建て込まれた０節鉄骨柱材６と、この周囲の鉄筋７およびコンクリート８とで構成されている。この鉄骨鉄筋コンクリート柱材３の上部には鉄筋コンクリート柱材４が構築され、これに１節鉄骨柱材９が接続されている。すなわち、０節鉄骨柱材６と１節鉄骨柱材９とが鉄筋コンクリート柱材４を挟んで分離し、これらが０節鉄骨柱材６の上部に設けたアンカーボルト１０で接合されている。
【００１２】
この鉄筋コンクリート柱材４と１節鉄骨柱材９とは、図２に示すように、柱曲げモーメントが作用しない柱曲げモーメント反曲点位置１１で接合されている。このことにより０節鉄骨柱材６と１節鉄骨柱材９との鉄骨断面を合理的な断面にすることができる。
【００１３】
このように０節鉄骨柱材６と１節鉄骨柱材９とが鉄筋コンクリート柱材４を挟んで分離し、これらがアンカーボルト１０で接合されたことにより、基礎梁のないフーチング基礎２に建て込んだ柱構造１にすることができ、工期の短縮および工費の削減を図ることができる。
【００１４】
次に、柱構造の構築方法について説明する。はじめに基礎梁のないフーチング基礎２に０節鉄骨柱材６を建て込む。そして、この０節鉄骨柱材６の頭部にアンカーボルト１０を先付けする。次に、この０節鉄骨柱材６の周りに主筋および帯筋７を配筋するとともに、柱型枠（図示せず）を組立形成する。
【００１５】
この鉄筋７および柱型枠は０節鉄骨柱材６の上側まで延ばし、この上側の部分を鉄筋コンクリート柱材用の鉄筋７および柱型枠にする。そして、この柱型枠にコンクリートを打設し、これが硬化した後に柱型枠を解体すると鉄骨鉄筋コンクリート柱材３と鉄筋コンクリート柱材４とが同時に構築され、この鉄筋コンクリート柱材４の上面からはアンカーボルト１０が突出されている。
【００１６】
次に、この鉄筋コンクリート柱材４の上面に１節鉄骨柱材９を建て込んでアンカーボルト１０で固定すると、０節鉄骨柱材６と１節鉄骨柱材９とが鉄筋コンクリート柱材４で分離した混合構造柱が構築される。
【図面の簡単な説明】
【００１７】
【図１】柱構造の断面図である。
【図２】柱構造の応力図を示した断面図である。
【図３】従来の柱構造の断面図である。
【符号の説明】
【００１８】
１、１２  柱構造
２  フーチング基礎
３  鉄骨鉄筋コンクリート柱材
４  鉄筋コンクリート柱材
５  鉄骨柱材
６、１５  ０節鉄骨柱材
７  鉄筋
８  コンクリート
９、１６  １節鉄骨柱材
１０  アンカーボルト
１１  柱曲げモーメント反曲点位置
１３  基礎梁
１４  基礎
【図１】
2006214195.tif 000003
【図２】
2006214195.tif 000004
【図３】
2006214195.tif 000005